(57)【特許請求の範囲】
【請求項１】
２枚の戸板が山折りになって開閉する折り戸と、前記折り戸が設置される開口部の左右に亘って延在し、折り戸を左右方向に案内するガイドレールと、前記折り戸が閉塞する際の力をダンパーによって緩衝する折戸用緩衝装置とを備えた折戸装置であって、
前記ダンパーはロッドがシリンダ内に押し込まれる力を緩衝するものであり、前記ロッドの押し込み方向を、前記折り戸の裏面と略平行になるように配置し、前記折戸用緩衝装置を前記折り戸と前記ガイドレールとの間に生じる隙間に配置したことを特徴とする折戸装置。
【発明の詳細な説明】
【技術分野】
【０００１】
本発明は、２つ折りになって開閉する折戸に折戸用緩衝装置が取り付けられる折戸装置に関する。
【背景技術】
【０００２】
従来、収納庫やウォークインクローゼットなどでは、２つ折りになって開閉する折戸装置が使用されている。この折戸は、他の扉（例えば、引き戸、開き戸）と比較して、収納庫の収納口の全面を開口にできる点、および、１枚戸のものと比較して開くのに必要なデッドスペースを小さくすることができる点などで利点がある。
【０００３】
また、この折戸には、閉動作時の衝撃を緩和するために、衝撃吸収用のダンパーが装着された折戸用緩衝装置が設けられることがある。このダンパーは、シリンダと、このシリンダから緩衝方向（ストローク方向）に突出するロッドとを備え、このロッドのストロークによって衝撃を緩衝・緩和するものである。
【０００４】
例えば、特許文献１、２に記載の折戸用緩衝装置では、ロッドのストローク方向を折戸の開閉方向に向けて設置し、折戸の閉方向への移動に伴いダンパーが衝撃を吸収するようにしている。また、特許文献１の技術では、複数のダンパーを用いてダンパーの衝撃吸収力を調整する技術が開示されている。
【先行技術文献】
【特許文献】
【０００５】
【特許文献１】特開２０１１−４２９７８号公報
【特許文献２】特開２０１１−１２７３１４号公報
【発明の概要】
【発明が解決しようとする課題】
【０００６】
折戸用緩衝装置は、折戸の裏面側に取り付けられ、収納庫などの内側（収納スペース側）に向けて突出するように取り付けられる。この緩衝装置の突出寸法は、収納庫などの収納スペースをできるだけ広く確保するために、できるだけ小さくすることが好ましい。一方、上述したダンパーのストロークは、折戸をよりゆっくりと閉じさせる（緩衝する）ために、できるだけ長く確保することが好ましい。
【０００７】
そのため、ダンパーのストロークを長くすると、収納スペース側への突出長さが長くなってしまう。逆に、緩衝装置の突出長さを小さく抑えると、ダンパーのストロークが短くなり、緩衝機能が十分に発揮できない。なお、特許文献１の技術では、この緩衝機能を補うために複数のダンパーを設けているが、部品点数が多くなり、コスト面で高くなってしまう。
【０００８】
本発明は、上述した事情を鑑みてなされたものであり、その目的は、収納庫などの内側への突出長さを小さくし、かつ、ダンパーのストロークを長く確保することができる折戸装置を提供することにある。
【課題を解決するための手段】
【００１１】
本発明に係る折戸装置は、２枚の戸板が山折りになって開閉する折り戸と、前記折り戸が設置される開口部の左右に亘って延在し、折り戸を左右方向に案内するガイドレールと、前記折り戸が閉塞する際の力をダンパーによって緩衝する折戸用緩衝装置とを備えたものであり、前記ダンパーはロッドがシリンダ内に押し込まれる力を緩衝するものであり、前記ロッドの押し込み方向を、前記折り戸の裏面と略平行になるように配置し、前記折戸用緩衝装置を前記折り戸と前記ガイドレールとの間に生じる隙間に配置したことを特徴とする。
【発明の効果】
【００１３】
本発明に係る折戸装置では、ロッドの押し込み方向を、折り戸の裏面と略平行になるように配置し、折戸用緩衝装置を折り戸とガイドレールとの間に生じる隙間に配置しているので、構造上必要な隙間内から折戸用緩衝装置が収納スペース側に突出することがない。その結果、突出していた従来と比較して、収納スペースを広く確保することができる。
【図面の簡単な説明】
【００１４】
【図１】本発明の実施の形態に係る折戸用緩衝装置が取り付けられた折戸装置の全体斜視図であって、収納内部側から見た図である。
【図２】図１のＡ部拡大図である。
【図３】図１のＸ−Ｘ断面図である。
【図４】図３から折り戸を閉じた状態を示す図である。
【図５】折戸用緩衝装置Ｓの斜視図であって、（Ａ）は折り戸２が閉じられたときの状態、（Ｂ）は緩衝機能が動作している状態、（Ｃ）は折り戸２が開かれたときの状態を示す斜視図である。
【図６】折戸用緩衝装置の分解斜視図である。
【図７】折戸用緩衝装置の動作を説明する図であって、（Ａ）は折り戸が閉じた状態、（Ｂ）は折り戸が所定の角度内で開いた状態、（Ｃ）は折り戸が所定の角度以上に開いた状態を示す平面図である。
【図８】（Ａ）〜（Ｃ）は、図７（Ａ）〜（Ｃ）に対応する断面図である
【図９】本発明の変形例であって、折戸用緩衝装置が取り付けられた折戸装置の全体斜視図である。
【図１０】図９のＢ部拡大図である。
【発明を実施するための最良の形態】
【００１５】
以下、本発明の実施の形態に係る折戸用緩衝装置Ｓおよび折戸装置Ｔについて、図面を用いて詳細に説明する。図１は、本発明の実施の形態に係る折戸用緩衝装置Ｓが取り付けられた折戸装置Ｔの全体斜視図であって、折戸装置Ｔの収納側（折戸装置Ｔの内側）から見た図である。また、図２は図１のＡ部拡大図、図３は図１のＸ−Ｘ断面図、図４は図３の状態から折り戸を閉じた状態を示す図である。
【００１６】
なお、以下の説明で使用する方向で、上下左右の方向は、図１を正面から見た方向をいうものとする。また、表側（外側）とは、図１の紙面奥側をいい、裏側（収納側）とは、図１の紙面手前側をいうものとする。
【００１７】
折戸装置Ｔは、図１に示すように、その前側に開口部１ｄを有する本体部１と、この開口部１ｄを覆う折り戸２（２ａ、２ｂ）とを備えている。本体部１は、開口部１ｄの両側に位置する左側壁部１ａ、右側壁部１ｂと、開口部１ｄの上側に位置する天井部１ｃと、図示しない底部とで構成されている。
【００１８】
折り戸２は、図１、図３、図４に示すように、左側に位置する戸板２ａと、右側に位置する戸板２ｂとで構成されている。これらの戸板２ａ、２ｂは、２つのセンター蝶番３によって左右に連結されており、折り戸２が表側に向かって山折りになる態様で折り畳むことができるようになっている。
【００１９】
また、折り戸２は、本体部１の右側部分に設けられた上下２つの蝶番４と、戸板２ａを吊り下げる吊り下げ装置５とによって、本体部１側に組み付けられている。
蝶番４は、一方が本体部１の右側壁部１ｂに取り付けられ、他方が戸板２ｂの右側部に取り付けられており、戸板２ｂが蝶番４を中心にして表側に向かって回動するようになっている。
吊り下げ装置５の上部は、ガイドレール６に沿って左右方向にスライド移動可能に取り付けられている。また、吊り下げ装置５の下部は、戸板２ａの左側上部に取り付けられ、戸板２ａが吊り下げ装置５を中心にして水平方向に回動するようになっている。
【００２０】
ガイドレール６の形状は、その断面が略コ字形状に形成されており、下側に開口が向くようにして天井部１ｃに取り付けられている。このガイドレール６は、開口部１ｄの左端から右端まで直線状に連続しており、この間を吊り下げ装置５が自由に移動する。これにより、折り戸２は、吊り下げ装置５が左端部に位置する状態で閉じられ、右端部に移動した状態で、蝶番４およびセンター蝶番３が作用して開いた状態になる。この開いた状態では、２枚の戸板２ａ、２ｂが本体部１の右側壁部１ｂ側に折り重ねられて寄せられるようになる。
【００２１】
また、上述したセンター蝶番３には、折り戸２がある程度閉じた状態（図３で示す角度Ｒが所定の角度以下になった状態）で、折り戸２を閉じる方向（図３で矢印Ｐで示す方向）に付勢する閉塞手段（図示せず）が設けられている。この閉塞手段は、既知のものであるため、その詳細な説明は省略する。なお、閉塞手段は、センター蝶番３の他に蝶番４に設けることもできるし、センター蝶番３と蝶番４の両方に設けることもできる。
【００２２】
折り戸２が完全に閉じた状態（図４で示す状態）では、上述したガイドレール６の前側面と折り戸２の裏側面との間に前後方向に隙間７が生じる。この隙間７は。折り戸２を開閉する際に、折り戸２、吊り下げ装置５およびガイドレール６との配置関係や構造上により必要になってくる。本願発明の折戸用緩衝装置Ｓは、戸板２ｂの裏側の右上部分に取り付けられ、かつ、この隙間７の間に収容されるようにして配置されている。
【００２３】
図５（Ａ）〜図５（Ｃ）は、折戸用緩衝装置Ｓの斜視図であって、（Ａ）は折り戸２が閉じられたときの状態、（Ｂ）は緩衝機能が動作している状態、（Ｃ）は折り戸２が開かれたときの状態を示している。また、図６は、折戸用緩衝装置Ｓの分解斜視図である。
【００２４】
折戸用緩衝装置Ｓは、戸板２ｂに取り付けられるベース部１０と、このベース部１０でリンク機構を構成する第１リンク部２０および第２リンク部３０と、これらのリンク部２０、３０を付勢するトーションばね４０と、リンク部２０、３０の動きを緩衝するためのダンパー５０とで構成されている。
【００２５】
ベース部１０は、左右方向に長尺に形成されている。このベース部１０の戸板側には平面状の取付面１０ａが形成されており、この取付面１０ａが戸板２ｂの裏面に接する態様で取り付けられる。また、ベース部１０の左右両端部には、ねじ等が挿通される取付穴１１、１２がそれぞれ設けられている。ベース部１０はこのねじ等によって戸板２ｂに取り付けられる。
【００２６】
また、ベース部１０の中央部には、ダンパー収容部１７が形成されている。このダンパー収容部１７は、上下方向の両側に設けられた壁部１３、１３および右側に設けられた受け部１６によって戸板側に凹んだ形状に形成されている。この凹んだ形状は、詳細は後述するダンパー本体部５２の円筒形状とほぼ一致するように形成されており、ダンパー５０は、このダンパー収容部１７に嵌め込むようにしてがたつきなく取り付けられる。
【００２７】
また、上述した２つの壁部１３、１３には、上下方向にそれぞれ貫通し、左右方向に延在する貫通長穴１４が形成されている。同様に、２つの壁部１３、１３には、貫通長穴１４よりも右側に位置し、上下方向にそれぞれ貫通する態様で貫通穴１５が形成されている。
【００２８】
第１リンク部２０は、断面形状が略コ字状に形成されており、開口側がベース部１０側に向くように配置される。第１リンク部２０の上側を構成する上面部２０ａ及び下側を構成する下面部２０ｂは、左右方向に延長されており、この延長部分には、上下方向にそれぞれ貫通する取付穴２１、２２がそれぞれ形成されている。右側の取付穴２１は、貫通穴１５と位置を合わせるようにして取付ピン７３によってベース部１０に取り付けられる。これにより、第１リンク部２０は、ベース部１０に対して取付ピン７３を中心にして自由に回動できるようになっている。
【００２９】
この取付ピン７３には、図６に示すように、トーションばね４０が挿通されて組み付けられる。このトーションばね４０は、ベース部１０に対して第１リンク部２０をガイドレール側に向けて付勢している。
【００３０】
また、上面部２０ａおよび下面部２０ｂには、戸板側からガイドレール側に向かって切欠き部２４、２４がそれぞれ形成されている。この切欠き部２４，２４は、詳細は後述するが、第１リンク部２０がベース部１０側に押し込まれたときに、取付ピン７２と上面部２０ａおよび下面部２０ｂと干渉するのを避けるためのものである。この切欠き部２４、２４は、第１リンク部２０がベース部１０側に押し込まれたときの取付ピン７２の左右方向への移動長さ分だけ切り欠かれている。
【００３１】
第２リンク部３０は、図６に示すように、第１リンク部２０と同様に、断面形状が略コ字状に形成されおり、長手方向の延長部分には、上下方向にそれぞれ貫通する取付穴３１、３２がそれぞれ形成されている。
【００３２】
取付穴３１は、貫通長穴１４と位置を合わせるようにして取付ピン７２によってベース部１０に取り付けられる。これにより、第２リンク部３０は、ベース部１０に対して取付ピン７２を中心にして自由に回動できるようになっている。また、取付ピン７２は、取付長穴１４に沿って左右方向に自由にスライド移動できるようになっている。
【００３３】
また、この取付ピン７２には、図６に示すように、角形の受け部材６０が取り付けられる。この受け部材６０には、取付ピン７２が挿通される挿通穴６１が形成されており、取付ピン７２と一緒に左右に移動するようになっている。
【００３４】
取付穴３２は、第１リンク部２０の取付穴２２と位置を合わせて取付ピン７１で取り付けられる。これにより、第１リンク部２０および第２リンク部３０は、相対的に取付ピン７１を中心にして自由に回動できるようになっている。これにより、第１リンク部２０および第２リンク部３０は、リンク機構として動作するようになる。
【００３５】
また、第２リンク部３０には、戸板２ｂに取り付けられた状態でガイドレール６の表側の面と当接する当接部材２３が取り付けられている。この当接部材２３は、例えば、超高分子量ポリエチレン、モリブデンを含有したナイロンなどの低摩擦の樹脂材料で形成されている。
【００３６】
当接部材２３は、第２リンク部３０に対して構造的に回動しないように取り付けられ、第１リンク部２０に対しては回動するようになっている。この当接部材２３は、図５および図６に示すように、第２リンク部材３０の長手方向と略平行に取付ピン７１からガイドレール６側に向かって延びており、ガイドレール６側の先端部には略円弧状の曲面部２３ａと、平面部２３ｂとが形成されている。これらの曲面部２３ａおよび平面部２３ｂは、折戸用緩衝装置Ｓが動作するときにガイドレール６の表側の面と当接しながら摺動する部分である。
【００３７】
ダンパー５０は、図６に示すように、左右方向に長尺な円筒状のシリンダ５２と、このシリンダ５２の左側先端部からさらに左側へと突出するロッド５１とで構成されている。このダンパー５０は、ベース部１０の取付面１０ａと略平行に配置されており、ロッド５１が戸板２ｂの裏面と略平行に左右方向に移動する。
【００３８】
ロッド５１は、シリンダ５２内の作動油によってその右方向への移動（押し込まれる方向への移動）が緩衝されるようになっている。このダンパー５０のシリンダ５２は、ベース部１０のダンパー収容部１７に固定される態様で取り付けられる。ロッド５１の先端部は、上述した受け部材６０と当接している。これにより、ダンパー５０は、取付ピン７２の右方向への移動に伴ってその動きを緩衝するようになる。
【００３９】
次に、本発明の実施の形態に係る折戸用緩衝装置Ｓの作用・動作について、図７および図８を用いて説明する。図７は折戸用緩衝装置Ｓの動作を説明する図であって、（Ａ）は折り戸２が閉じた状態、（Ｂ）は折り戸２が所定の角度Ｒ内で開いた状態、（Ｃ）は折り戸２が所定の角度Ｒ以上に開いた状態を示す平面図である。また、図８（Ａ）〜（Ｃ）は、図７（Ａ）〜（Ｃ）に対応する断面図である。なお、図７（Ａ）〜（Ｃ）および図８（Ａ）〜（Ｃ）は、図５（Ａ）〜（Ｃ）の動作状態ともそれぞれ一致している。
【００４０】
折戸用緩衝装置Ｓは、図４に示すように、折り戸２が閉じられた状態では、戸板２ｂの裏面とガイドレール６の表面の間の隙間７にコンパクトに収容されている。この状態では、図５（Ａ）、図７（Ａ）および図８（Ａ）に示すように、取付ピン７２は、貫通長穴１４の右側に位置し、折戸用緩衝装置Ｓの奥行き方向の寸法（厚み）が小さく、上述した隙間７内に収容可能な大きさである。
【００４１】
また、ガイドレール６の表側の面は、当接部材２３の平面部２３ｂと当接している。引き戸２は、センター蝶番３の閉塞手段（図示せず）の付勢力（トーションばね４０の付勢力よりも大きな力）で閉じられている。また、ダンパー５０のロッド５１は、図８（Ａ）に示すように、受け部材６０が取付ピン７２と共に右側に移動することによってシリンダ５２内に押し込まれた状態になっている。
【００４２】
上述の閉じた状態から折り戸２が所定の角度Ｒ以下で開かれると、図５（Ｂ）、図７（Ｂ）および図８（Ｂ）に示すように、トーションばね４０の付勢力によって取付ピン７３を中心に第１リンク部２０が裏側に向かって時計回りに回動する。これにより、第２リンク部３０も奥行き方向に起立するようにして移動する。取付ピン７２は、第２リンク部３０の移動に伴い、左側へと移動する。このとき、ガイドレール６の表側の面は、当接部材２３の平面部２３ｂから曲面部２３ａへと摺動しながら当接箇所が移動する。
【００４３】
そして、折り戸２が所定の角度Ｒ以上に開かれた状態では、ガイドレール６の表側の面と当接部材２３とが当接しなくなる。これにより、図５（Ｃ）、図７（Ｃ）および図８（Ｃ）に示すように、トーションばね４０の付勢力によって取付ピン７２が貫通長穴１４の左端に移動するまで、第１リンク部２０がさらに時計回りに回動する。
【００４４】
一方、折り戸２を閉じるときには、上述したのと逆に動作する。すなわち、折り戸２が所定の角度Ｒ以下まで閉じられたとき、折り戸２は閉塞手段によって閉方向に自動的に移動し、ガイドレール６の表側の面が当接部材２３の曲面部２３ａに当接する。そして、折り戸２の閉方向への付勢によって当接部材２３が表側へと押し込まれ、第１リンク部２０がトーションばね４０の付勢力に抗して反時計回りに回動する。そして、折戸用緩衝装置Ｓは、隙間７の間で折り畳まれた状態（図５（Ａ）、図７（Ａ）および図８（Ａ）の状態）になる。
【００４５】
このとき、ダンパー５０のロッド５１は、受け部材６０によってシリンダ５２に押し込まれる。これにより、折り戸２の閉止時の力を緩衝し、折り戸２がゆっくりと閉じられるようになる。
【００４６】
本発明の実施の形態に係る折戸用緩衝装置Ｓによれば、ダンパー５０のロッド５１の押し込み方向（ストローク方向）と折り戸２の開閉方向とを異ならせ、開閉方向へ作用する力をロッド５１の押し込み方向へ伝達するリンク機構を設けているので、ダンパー５０のストロークを長く確保しても、折戸用緩衝装置Ｓが収納スペース側に大きく突出することがない。
【００４７】
特に、ダンパー５０のストローク方向を折り戸２の裏面と略平行に配置することによって、折戸用緩衝装置Ｓが収納スペース側へ突出する長さを最小限に抑えることができる。
【００４８】
他方、本発明に係る折戸装置Ｔでは、ロッド５１の押し込み方向を、折り戸２の裏面と略平行になるように配置し、折戸用緩衝装置Ｓを折り戸２とガイドレール６との間に生じる隙間７に配置しているので、構造上必要な隙間７内から折戸用緩衝装置Ｓが収納スペース側に突出することがない。その結果、収納スペース側に突出していた従来と比較して、収納スペースを広く確保することができる。
【００４９】
以上、本発明の実施の形態に係る折戸用緩衝装置Ｓおよび折戸装置Ｔについて述べたが、本発明は既述の実施形態に限定されるものではなく、本発明の技術思想に基づいて各種の変形および変更が可能である。
【００５０】
例えば、本実施の形態における折戸用緩衝装置Ｓは、図１に示すように右上端部の戸板２ｂとガイドレール６との隙間に収容（配置）されているが、左上端部の戸板２ａとガイドレール６との隙間に配置してもよい。図９は、図１に対応する図であって、折戸用緩衝装置Ｓを左上端部に配置した状態を示す斜視図である。また、図１０は、図９のＢ部拡大図である。
【００５１】
従来の折戸用緩衝装置は、折り戸の裏面から収納スペース側に突出するようにして取り付けられるため、吊り下げ装置５と干渉しない位置、すなわち、右上端部にしか配置することができなかった。しかしながら、本願発明の折戸用緩衝装置Ｓは、戸板２ａ、２ｂの裏面とガイドレール６の表面との隙間７に配置することができるので、図１０に示すように、吊り下げ装置５と折戸用緩衝装置Ｓが奥行き方向で干渉することがない。そのため、折戸用緩衝装置Ｓは、本実施の形態の左右を逆にして、左上端部の戸板２ａに取り付けることができる。これにより、折り戸２を開いた状態（戸板２ａ、２ｂを山折りにした状態）で、折り戸２を開いた人から折戸用緩衝装置Ｓが見え難くすることができる。その他、中央部にも配置することができ、その配置の自由度が増すことになる。
【００５２】
また、本実施の形態における折戸用緩衝装置Ｓでは、ガイドレール６の表側の面と接触する当接部材２３を用いて構成しているが、当接部材２３の代わりにローラー等を用いることもできる。これにより、ガイドレール６の表側の面との摺動抵抗を、ローラーが回転することに置き換えて低減させることができる。
【００５３】
さらに、本実施の形態では、リンク機構を動作させるためにトーションばね４０を用いて付勢力を与えているが、これに限定されない。例えば、圧縮（引張）コイルばね、板ばねなどを用いて第１リンク部２０に付勢力を与えるようにしてもよい。
【符号の説明】
【００５４】
１  本体部
１ａ  左側壁部
１ｂ  右側壁部
１ｃ  天井部
１ｄ  開口部
２  折り戸
２ａ、２ｂ  戸板
３  センター蝶番
４  蝶番
５  吊り下げ装置
６  ガイドレール
７  隙間
１０  ベース部
１０ａ  取付面
１１、１２  取付穴
１３  壁部
１４  貫通長穴
１５  貫通穴
１６  受け部
１７  ダンパー収容部
２０  第１リンク部
２０ａ  上面部
２０ｂ  下面部
２１、２２  取付穴
２３  当接部材
２３ａ  曲面部
２３ｂ  平面部
２４  切欠き部
３０  第２リンク部
４０  トーションばね
５０  ダンパー
５１  ロッド
５２  シリンダ
６０  受け部材
６１  挿通穴
７１、７２、７３  取付ピン
Ｓ  折戸用緩衝装置
Ｔ  折戸装置
【図１】
0006440253.tif 000002
【図２】
0006440253.tif 000003
【図３】
0006440253.tif 000004
【図４】
0006440253.tif 000005
【図５】
0006440253.tif 000006
【図６】
0006440253.tif 000007
【図７】
0006440253.tif 000008
【図８】
0006440253.tif 000009
【図９】
0006440253.tif 000010
【図１０】
0006440253.tif 000011